(57)【要約】【課題】他の電化製品の使用を制限することなく、身近な場所でマイナスイオンを発生させることのできるマイナスイオン発生器具を提供する。【解決手段】リモコン装置には、マイナスイオン発生部４が取り付けられている。マイナスイオン発生部４は、マイナスイオンを発生させ、マイナスイオンを周囲に放出させる。【選択図】　　　　　図３
2004048548.tif 000002
【特許請求の範囲】
【請求項１】
電化製品に命令を与えるための操作部と、前記電化製品に前記操作部における命令を伝達するための通信部と、前記各部を取り付けるためのリモコン本体とを具備し、電化製品を遠隔操作するためのリモコン装置に、マイナスイオンを発生させるためのマイナスイオン発生部が取り付けられ、前記マイナスイオン発生部は、前記リモコン本体内に設置され、当該リモコン本体に開口された開口部より、マイナスイオンを放出することを特徴とするマイナスイオン発生器具。
【請求項２】
前記開口部は、前記リモコン本体側面に開口され、前記開口部と対向する位置には、防塵カバーが設けられていることを特徴とする請求項１記載のマイナスイオン発生器具。
【請求項３】
前記マイナスイオン発生部を作動させるためのスイッチと、前記マイナスイオン発生部の作動確認を行うための確認ランプとをさらに具備することを特徴とする請求項１または２記載のマイナスイオン発生器具。
【発明の詳細な説明】
【０００１】
【発明の属する技術分野】
本発明は他の電化製品の使用を制限することなく、身近な場所でマイナスイオンを発生させることのできるマイナスイオン発生器具に関する。
【０００２】
【従来の技術】
近頃の健康志向により、健康によいとされるマイナスイオンが注目されている。現代においては、大気汚染等によりイオンバランスが崩れ、プラスイオン過多の状態になっていると言われている。頭が痛い、イライラするなどのいわゆる不定愁訴、アレルギーなどの皮膚疾患、内臓の病気などは、イオンバランスが崩れていることが原因の一つであるということも言われている。このイオンバランスをもとの状態に戻し、健康を取り戻すために、マイナスイオンを発生させるためのマイナスイオン発生器が開発されている。
【０００３】
特に、現在、電極を有し、放電させることによりマイナスイオンを発生させるマイナスイオン発生器が普及している。しかし、このようなマイナスイオン発生器には、電源が必要であり、コンセントを占有してしまうため、他の扇風機や暖房機等の電化製品と競合し、いずれかの電化製品が使用できなくなってしまう場合がある。
【０００４】
このため、従来より、空気清浄器や扇風機等の電化製品の本体にマイナスイオン発生機能を有する器具が開発されている。これにより、各電化製品の使用を制限することなくマイナスイオンを発生させることができる。
【０００５】
【発明が解決しようとする課題】
しかし、このようなマイナスイオン発生器具は、部屋の所定の場所に設置され、同じ部屋であっても必ずしも人のいる場所に近いとは限らない。この場合、扇風機等により、マイナスイオンが室内に拡散される場合であっても、マイナスイオンが部屋にいる人に届くまでに時間のかかる場合があったり、部屋の構造によってはマイナスイオンが十分に拡散せず、同じ部屋にいる人でもマイナスイオンを有効に浴びることができない場合があった。
【０００６】
本発明は、かかる従来技術の問題点を解決するべくなされたもので、他の電化製品の使用を制限することなく、身近な場所でマイナスイオンを発生させることのできるマイナスイオン発生器具を提供することを目的とする。
【０００７】
【課題を解決するための手段】
本発明に係るマイナスイオン発生器具は、電化製品に命令を与えるための操作部と、前記電化製品に前記操作部における命令を伝達するための通信部と、前記各部を取り付けるためのリモコン本体とを具備し、電化製品を遠隔操作するためのリモコン装置に、マイナスイオンを発生させるためのマイナスイオン発生部が取り付けられ、前記マイナスイオン発生部は、前記リモコン本体内に設置され、当該リモコン本体に開口された開口部より、マイナスイオンを放出するものである。
【０００８】
本発明のマイナスイオン発生器具によれば、リモコン装置の操作部を操作することにより、命令が通信部を介して電化製品に伝達される。このため、電化製品から離れた場所であってもその場に居ながらにして遠隔操作することができる。
【０００９】
さらに、このリモコン装置には、マイナスイオン発生部が取り付けられている。マイナスイオン発生部は、マイナスイオンを発生させ、マイナスイオンを周囲に放出させる。
【００１０】
このように、人のいる場所の近くにあるリモコン装置からマイナスイオンを発生させるため、他の電化製品の使用を制限することなく、身近な場所でマイナスイオンを発生させることができ、効率よくマイナスイオンを浴びることができる。
【００１１】
ここで、マイナスイオン発生部がリモコン本体に内蔵されて形成される。これにより、マイナスイオン発生部を保護する枠体を別に設けることなく、一体整形することができるとともに、一般的なリモコン装置に比べても違和感のないデザインとすることができる。
【００１２】
好ましくは、前記開口部は、前記リモコン本体側面に開口され、前記開口部と対向する位置には、防塵カバーが設けられているように構成される。
【００１３】
この場合、リモコン装置のリモコン本体側面にある開口部よりマイナスイオンが放出される。マイナスイオンを放出するための開口部がリモコン本体の側面に設けられることにより、塵や埃がリモコン本体内部に進入し難いため、塵や埃によって開口部が目詰まりすることなく、いつまでもマイナスイオンを有効に放出することができる。
【００１４】
そして、開口部と対向する位置に防塵カバーが設けられており、塵や埃がリモコン本体内部により進入し難くすることができるため、塵や埃によって開口部が目詰まりすることなく、いつまでもマイナスイオンをより有効に放出することができる。
【００１５】
好ましくは、前記マイナスイオン発生部を作動させるためのスイッチと、前記マイナスイオン発生部の作動確認を行うための確認ランプとをさらに具備するように構成される。
【００１６】
この場合、マイナスイオンを発生させるかどうかを電化製品の作動状態に関わらずに設定することができる。したがって、リモコン装置により遠隔操作する電化製品の作動状態に関わらず、マイナスイオンを発生させることができる。
【００１７】
そして、マイナスイオン発生部からマイナスイオンが発生しているときに、確認ランプを点灯または消灯させることにより、無色無臭のマイナスイオンの発生を視覚的に容易に確認することができる。
【００１８】
【発明の実施の形態】
以下、添付図面を参照しつつ、本発明の実施の形態を説明する。本実施の形態においては、電化製品として特に、電気毛布、電気こたつ等に多く用いられる有線式のリモコン装置に適用する場合について説明するが、本発明は、テレビ、エアコン等に多く用いられる赤外線等の無線式のリモコン装置にも同様に適用することができ、同様の効果を奏することができる。
【００１９】
まず、本発明の第１の実施の形態について説明する。図１は本発明の第１の実施の形態におけるマイナスイオン発生器具の概略図である。また、図２は図１のマイナスイオン発生器具の内部構造を示すための概略断面図である。
【００２０】
本実施の形態のマイナスイオン発生器具は、図１に示すように、電化製品に命令を与えるための操作部２と、前記電化製品に前記操作部２における命令を伝達するための通信部３と、各部を取り付けるためのリモコン本体１とを具備し、電化製品を遠隔操作するためのリモコン装置に、マイナスイオンを発生させるためのマイナスイオン発生部４が取り付けられたものである。
【００２１】
本実施の形態のマイナスイオン発生器具は、リモコン装置の操作部２を操作することにより、命令が通信部３を介して電化製品の本体に伝達される。このため、電化製品から離れた場所であってもその場に居ながらにして遠隔操作することができる。
【００２２】
ここで、本実施の形態においては、電気毛布等の暖房器具のリモコン装置として構成される。図２に示すように、リモコン本体１内の基板８に操作部２としての温度調節つまみおよび通信部３としての接続コードが取り付けられている。なお、無線式のリモコン装置において、通信部３は、赤外線等を電化製品本体に発信するための発信装置として構成される。
【００２３】
さらに、このリモコン装置には、マイナスイオン発生部４が取り付けられている。マイナスイオン発生部４は、電気的にマイナスイオンを発生させ、マイナスイオンを周囲に放出させる。マイナスイオン発生部４の構造は、一般的にある電極放電タイプ（コロナ放電タイプ等）のものでよいが、他の様々な方式（例えば、電子放射方式）のマイナスイオン発生構造をも採用し得る。
【００２４】
このように、人のいる場所の近くにあるリモコン装置からマイナスイオンを発生させるため、他の電化製品の使用を制限することなく、身近な場所でマイナスイオンを発生させることができ、効率よくマイナスイオンを浴びることができる。
【００２５】
なお、本実施の形態においては、図２に示すように、前記マイナスイオン発生部４は、前記リモコン本体１内に設置され、当該リモコン本体１に開口された開口部１０より、マイナスイオンを放出するように構成される。
【００２６】
この場合、マイナスイオン発生部４がリモコン本体１に内蔵されて形成される。これにより、マイナスイオン発生部４を保護する枠体を別に設けることなく、一体整形することができるとともに、一般的なリモコン装置に比べても違和感のないデザインとすることができる。
【００２７】
さらに、図２において、操作部２および通信部３と同様に、基板８上に取り付けられる。リモコン装置と同様に通信部３から電力の供給を得ることができるため、マイナスイオン発生のための電力供給源を別に確保する必要がなく、リモコン本体１の大型化を抑制することができる。
【００２８】
本実施の形態においては、前記開口部１０と対向する位置には、防塵カバー７が設けられている。
【００２９】
この場合、マイナスイオン発生部４で発生したマイナスイオンを放出するための開口部１０と対向する位置（操作面の上方）に防塵カバー７が設けられている。これにより、図１のようにリモコン本体１の操作面に開口部１０を設けた場合であっても、塵や埃がリモコン本体１内部により進入し難くすることができるため、塵や埃によって開口部１０が目詰まりすることなく、いつまでもマイナスイオンをより有効に放出することができる。
【００３０】
なお、本実施の形態においては、防塵カバー７として、図１および図２に示すような、リモコン本体１の操作面に開口された開口部１０から放出されたマイナスイオンを操作面方向に放出させるとともに開口部１０と対向する位置から操作面に向かって落下してくる塵や埃が開口部１０より進入するのを防ぐような屋根構造を設けることにより実現している。
【００３１】
なお、防塵カバー７は、これ以外の構造を有していてもよい。図４は防塵カバーの形状例を示す図である。図４（イ）に示す防塵カバー７は、リモコン本体１の開口部１０と対向する位置以外のいずれか一方向が開口されているものであり、図４（ロ）に示す防塵カバー７は、リモコン本体１の開口部１０の周囲に複数の支柱を有し、開口部１０と対向する位置に前記複数の支柱に支持された屋根構造を有するものである。また、例えば、マイナスイオンは透過するが、塵や埃のような大きい粒子は透過しないような防塵フィルタ等により実現してもよい。
【００３２】
また、本実施の形態においては、前記マイナスイオン発生部４を作動させるためのスイッチ６をさらに具備するように構成される。
【００３３】
この場合、マイナスイオンを発生させるかどうかを電化製品の作動状態に関わらずに設定することができる。したがって、リモコン装置により遠隔操作する電化製品の作動状態に関わらず、マイナスイオンを発生させることができる。
【００３４】
なお、本実施の形態のように、独立したスイッチ６を用いない場合は、電化製品の作動状態に連動（電化製品のオン／オフに伴ってマイナスイオン発生部４をオン／オフ）してマイナスイオンを発生させてもよいし、電化製品をコンセントに差し込んでいる状態（あるいは主電源オンの状態）は、つねにマイナスイオンを発生させる構成としてもよい。また、独立したスイッチ６を用いる場合においても電化製品の作動状態と連動させる構成（例えば、スイッチ６がオンなら電化製品に連動、スイッチ６がオフなら電化製品がオンの状態になってもマイナスイオンを発生させない等）としてもよい。
【００３５】
そして、前記マイナスイオン発生部４の作動確認を行うための確認ランプ５をさらに具備するように構成される。
【００３６】
この場合、マイナスイオン発生部４からマイナスイオンが発生しているときに、確認ランプ５を点灯または消灯させることにより、無色無臭のマイナスイオンの発生を視覚的に容易に確認することができる。特に、本実施の形態のように、電化製品の作動状態とは独立して、マイナスイオンを発生可能とする構成において、確認ランプ５の点灯または消灯を確認することでマイナスイオンの発生の有無が視覚的に容易に確認でき、より効果的である。
【００３７】
次に、本発明の第２の実施の形態について説明する。図３は本発明の第２の実施の形態におけるマイナスイオン発生器具の概略図である。第１の実施の形態と同様の構成を有するものには同じ符号を付し、説明を省略する。
【００３８】
第２の実施の形態におけるマイナスイオン発生器具が第１の実施の形態のマイナスイオン発生器具と異なる点は、前記開口部１０が、前記リモコン本体１の側面に開口されるように構成されることである。
【００３９】
この場合、リモコン装置のリモコン本体１の側面にある開口部１０よりマイナスイオンが放出される。マイナスイオンを放出するための開口部１０がリモコン本体１の側面に設けられることにより、上方から落下してくる塵や埃がリモコン本体１の内部に進入し難いため、塵や埃によって開口部１０が目詰まりすることなく、いつまでもマイナスイオンを有効に放出することができる。
【００４０】
【発明の効果】
本発明に係るマイナスイオン発生器具によれば、人のいる場所の近くにあるリモコン装置からマイナスイオンを発生させるため、他の電化製品の使用を制限することなく、身近な場所でマイナスイオンを発生させることができ、効率よくマイナスイオンを浴びることができる。
【図面の簡単な説明】
【図１】本発明の第１の実施の形態におけるマイナスイオン発生器具の概略図である。
【図２】図１のマイナスイオン発生器具の内部構造を示すための概略断面図である。
【図３】本発明の第２の実施の形態におけるマイナスイオン発生器具の概略図である。
【図４】防塵カバーの形状例を示す図である。
【符号の説明】
１…リモコン本体　２…操作部　３…通信部　４…マイナスイオン発生部　５…確認ランプ　６…スイッチ　７…防塵カバー　１０…開口部
【図１】
2004048548.tif 000003
【図２】
2004048548.tif 000004
【図３】
2004048548.tif 000005
【図４】
2004048548.tif 000006